(57)【特許請求の範囲】
【請求項１】
それぞれパネル状の扉と扉枠板とを、同じ端面形状に形成した木口を互いに突き合わせて直列に配設し、該木口間に、外側から内側へ見通せない断面形状の幅狭な空隙からなる目隠し用隙間をあけて面一に組み付ける一方、前記扉の下端と床面間には、前記目隠し用隙間へ通ずる下部開口を設けてなる扉パネル構造体と、
レバー受けと、該レバー受けに対し係脱させて前記扉を施解錠する回動レバーを回動自在に備えた錠本体のみからなり、前記扉の施解錠状態を外部に表示する表示器を備えない非表示型打掛錠であって、前記レバー受け又は前記錠本体のいずれか一方を、閉止状態のとき該扉の内側に面する板面端部に取り付け、他方を一方の真横で前記扉枠板の板面端部に取り付け、前記扉と前記扉枠板の外側には何も取り付けない打掛錠と、
摘み部の基端部と先端部間の中間部位に前記木口の端面形状に合わせて曲げ成形した屈曲部を形成し、前記扉パネル構造体の前記目隠し用隙間の断面形状に応じて、それぞれ前記屈曲部の形状が異なる細長い板状の非常解錠用操作鍵とを備え、
前記打掛錠の非常解錠時は、前記屈曲部が前記目隠し用隙間の形状に合う非常解錠用操作鍵を用い、前記扉の外側から、前記摘み部を持って先端部を前記下部開口に差し通して前記屈曲部を前記目隠し用隙間に係合させてなることを特徴とする、非表示型打掛錠の非常解錠構造。
【発明の詳細な説明】
【技術分野】
【０００１】
本発明は、ラバトリーブースのトイレ用扉などに用いられ、扉の内側から回動レバーを回動し、そのレバー受けに対し係脱させて扉を施解錠する打掛錠であって、特に扉の施解錠状態を外部に表示する表示器を備えない非表示型打掛錠の非常解錠構造に関する。
【背景技術】
【０００２】
従来、例えばラバトリーブースのトイレ用扉に付設する打掛錠は、扉又は扉枠板の内側の板面端部に、ロック用の回動レバーを配設する一方、外側の板面端部には、扉の施解錠状態を外部に表示する表示器を配設し、これら回動レバーと表示器とを、間に扉又は扉枠板を挟んで呼込み部のスタッドとボルトの捩じ込みで締着して組み付けた、表示型であるのが一般である。（特許文献１、２参照）。
【０００３】
この種の表示型打掛錠は、施錠状態の扉の内側で使用者が倒れたり、悪戯で回動レバーをレバー受けに掛けた施錠状態で扉が閉められたりする非常時に備えて、扉の外側からでも非常解錠操作できるように、表示器に、内側の回動レバーと連動する、例えば表側にすり割付きの解錠操作部を備えた構造になっている。そして、非常解錠時、扉の外側から、すり割等にコインやドライバー等の道具を係止させてから、解錠操作部を介して回動レバーを回動させることにより打掛錠を簡単に解錠できるようにしている。
【０００４】
ところで、ホテル等のラバトリーブースに備えたトイレ用の扉体は、美観上の強い要請から、たとえば図９に示すように、それぞれパネル状の扉１とその間の扉枠板２を直列に組み付けて、全体を面一に配設した扉パネル構造体３で形成されている。しかし、表示器付きの表示型打掛錠では、パネル構造体３の外側に、その板面から表示器４…が幾つも突出し、この出っ張りが目だって見栄えが悪く、美的外観の重視されるラバトリーブース等では好ましくないという問題があった。
【０００５】
そこで、最近、ラバトリーブース等に設置する扉には、たとえば周知のグレビティヒンジを用い、扉の内側から、回動レバーのレバー受けに対する掛け止めを外して解錠すると、自動的に扉が開方向へ回動して開状態が保持される構造とし、これにより、外側から一見して扉の施解錠状態が判るようにする一方、打掛錠として、美観を損なう原因となる表示器を備えない非表示型のものが提案されている。
【特許文献１】特開２００２−２５６７５１号公報
【特許文献２】特開２００３−１０６０１４号公報
【発明の開示】
【発明が解決しようとする課題】
【０００６】
ところが、従来、そのような非表示型打掛錠は、扉の外側に表示器を備えない以上、扉の外側には、構造上、上記した表示型打掛錠のように非常時用の解錠操作部を設置する余地がない。そこで、従来、美観性に富む非表示型打掛錠を提供するに当たって、非常時に施錠状態にあるときに、かかる非表示型打掛錠を扉の外側から簡単に解錠操作できるようにするには、如何なる非常解錠構造にすればよいか、という課題があった。
【課題を解決するための手段】
【０００７】
そこで、上記課題を解決すべく、請求項１に記載の発明に係る非表示型打掛錠の非常解錠構造は、たとえば以下に示す図示実施の形態のとおり、それぞれパネル状の扉Ｄと扉枠板Ｐとを、同じ端面形状に形成した木口１０・１１を互いに突き合わせて直列に配設し、該木口１０・１１間に、外側から内側へ見通せない断面形状の幅狭な空隙からなる目隠し用隙間ｄをあけて面一に組み付ける一方、前記扉Ｄの下端と床面Ｆ間には、前記目隠し用隙間ｄへ通ずる下部開口Ｓを設けてなる扉パネル構造体Ａと、レバー受け３０と、該レバー受け３０に対し係脱させて前記扉Ｄを施解錠する回動レバー２９を回動自在に備えた錠本体２５のみからなり、前記扉Ｄの施解錠状態を外部に表示する表示器を備えない非表示型打掛錠であって、前記レバー受け３０又は前記錠本体２５のいずれか一方を、閉止状態のとき該扉Ｄの内側に面する板面端部に取り付け、他方を一方の真横で前記扉枠板Ｐの板面端部に取り付け、前記扉Ｄと前記扉枠板Ｐの外側には何も取り付けない打掛錠Ｌと、摘み部５６の基端部５５ｂと先端部５５ａ間の中間部位に前記木口１０・１１の端面形状に合わせて曲げ成形した屈曲部５５ｃを形成し、前記扉パネル構造体Ａの前記目隠し用隙間ｄの断面形状に応じて、それぞれ前記屈曲部５５ｃの形状が異なる細長い板状の非常解錠用操作鍵Ｋとを備え、前記打掛錠Ｌの非常解錠時は、前記屈曲部が前記目隠し用隙間ｄの形状に合う非常解錠用操作鍵を用い、前記扉Ｄの外側から、前記摘み部５６を持って先端部５５ａを前記下部開口Ｓに差し通して前記屈曲部５５ｃを前記目隠し用隙間ｄに係合させてなることを特徴とする。
【発明の効果】
【０００８】
請求項１に記載の発明によれば、たとえ扉の施解錠状態を外部に表示する表示器を外側に備えない非表示型の打掛錠であっても、施錠状態の扉の内側で使用者が倒れたり、悪戯で施錠状態にして扉を閉められたりした非常時に、扉の外側からでも、非常解錠用操作鍵を扉の下部開口に差し通して屈曲部を目隠し用隙間に係合させて、該屈曲部で回動レバーを押し上げて回動させることにより、簡単に錠本体側の回動レバーをレバー受けから外して解錠し、扉を開けることができる。その結果、本来、美観性に富む非表示型打掛錠の扉又は扉枠板の内側板面に対する取り付けを実質的に実現させることができる。
【発明を実施するための最良の形態】
【０００９】
以下、図面を参照しつつ、本発明の最良の実施形態について説明する。
【００１０】
図１は、本発明の一例である非表示型打掛錠の非常解錠構造を備えた扉パネル構造体を示す斜視図である。図中符号Ａで示す扉パネル構造体は、例えばラバトリーブース内に設置したトイレ用の扉体で、打掛錠Ｌと、非常解錠用の操作鍵Ｋとで、本発明の非常解錠構造を構成するようになっている。
【００１１】
図示例の扉パネル構造体Ａは、それぞれ中空パネル状の扉Ｄと扉枠板Ｐを複数組備え、それら扉Ｄと扉枠板Ｐとを、互いの縦長な木口１０・１１を突き合わせて直列に配設し、上端側を不図示の笠木で一体に連結する一方、扉Ｄの下端と床面Ｆ間には、横長な下部開口Ｓをあけて全体に面一に組み付けた構造になっている。
【００１２】
扉Ｄにおいて、木口１０は、扉Ｄの中空端部に筒柱１３を嵌め込んで形成する。筒柱１３は、２つのチャンネル材１４・１５を嵌め合わせてパイプ状に組み付けて形成し、図２でも示すように、一方のチャンネル材１５の中間板部１５ａを略Ｓ字形の曲面状に曲げ成形してなる。また、扉枠板Ｐの木口１１は、扉枠板Ｐの中空端部に、扉Ｄ側の筒柱１３より幅広な筒柱１６を嵌め込んで形成する。筒柱１６は、同様に、２つのチャンネル材１９・２０を嵌め合わせてパイプ状に組み付けて形成し、一方のチャンネル材２０の中間板部２０ａを、扉Ｄ側と同じ略Ｓ字形の曲面状に曲げ成形している。こうして扉Ｄおよび扉枠体Ｐは、互いに木口１０・１１を同じ略Ｓ字形曲面状の端面形状に形付けてなる。そこで、扉パネル構造体Ａには、扉Ｄと扉枠板Ｐを組み付けたとき、互いの木口１０・１１間に、図中奥側の外側から手前の内側へ見通せない断面略Ｓ字状の幅狭な空隙からなる目隠し用隙間ｄが形成されてなる。
【００１３】
図示例の打掛錠Ｌは、図３〜図５に示すように、打掛錠本体２５を構成する取付ベース部材２６およびレバー組立体２７と、レバー組立体２７に備えた後述の回動レバー２９を掛けるレバー受け３０のみからなり、扉Ｄの施解錠状態を外部に表示する表示器を備えない非表示型である。
【００１４】
錠本体２５側の取付ベース部材２６は、たとえば金属製で、中心に軸挿通穴３１を設ける一方、外周縁に円周リブ３２を設けた円形リング状で浅底なキャップ型に成形し、軸挿通穴３１と円周リブ３２間の平板部３３に複数の長穴状の取付穴３４…を穿設してなる。取付ベース部材２６は、円周リブ３２の外周面に雄ねじ３２ａを周方向に沿って螺設している。
【００１５】
レバー組立体２７は、回動レバー２９と、回動レバー２９の支持カバー３５とで構成してなる。回動レバー２９は、棒状の樹脂製レバー本体３６と、Ｌ状の金属製枢軸３７とからなり、枢軸３７の長軸部３７ａをレバー本体３６にインサート成形によって埋設させて一体化し、短軸部３７ｂをレバー本体３６の基端部側から突出させてなる。レバー本体３６は、その先端部に、レバー受け３０に対して係脱させる係合凹部３８を設けると共に、係合凹部３８と直交する厚さ方向に矩形な横穴３９を凹設し、その横穴３９に、例えばゴム製の弾性体４０を嵌め込んでなる。
【００１６】
一方、支持カバー３５は、たとえば樹脂製で、円形のカバー部４１と、カバー部４１の中心から一側に突出する円筒部４２とに一体成形し、中心には、カバー部４１と円筒部４２を貫通する筒穴４３を穿設してなる。カバー部４１は、その外周縁に円周リブ４４を環状に立ち上げて浅底な円形キャップ状に形成し、円周リブ４４の内周面に、取付ベース部材２６の雄ねじ３２ａに対応させて、雌ねじ４４ａを周方向に沿って螺設してなる。円筒部４２は、筒穴４３の両端側を一段拡径にあけて段付きに形成している。そこで、支持カバー３５は、筒穴４３の段付き両端にそれぞれベアリング４５・４５を内設し、該筒穴４３に、回動レバー２９の短軸部３７ｂをベアリング４５・４５を介して挿通する。そして、短軸部３７ｂの突端に止め輪４６を嵌め付けて抜け止めし、回動レバー２９を回動可能に支持カバー３５に連結し、レバー組立体２７として一体的に組み立ててなる。
【００１７】
なお、レバー受け３０は、たとえば金属板を用い、その一端側をコ状に曲げて成形して屈曲部分の先端に係止部３０ａを形成してなる。
【００１８】
そこで、非表示型打掛錠Ｌを扉パネル構造体Ａに組み付ける場合は、扉Ｄが閉止状態のとき、扉Ｄの内側に面する板面の端部４７に、係止部３０ａを上向きにしてレバー受け３０を皿ねじ４８で固着する。一方、扉枠板Ｐの内側には、レバー受け３０を固着した扉Ｄ寄りの板面端部４９に、錠本体２５側の取付ベース部材２６を、レバー受け３０の取付高さに合わせて取り付ける。取付ベース部材２６は、中心の軸挿通穴３１を、真横のレバー受け３０の取付高さ位置に合わせながら、取付穴３４を縦向き状態にしてから、それら取付穴３４に木ねじ５０を通して平板部３３を扉Ｄの板面端部４７に固着する。それから、この板面端部４７に予め穿設された取付用凹部内に、レバー組立体２７の円筒部４２を、取付ベース部材２６の挿通穴３１を通して嵌入すると共に、支持カバー３５のカバー部４１を、取付ベース部材２６の円周リブ３２に被せてから、支持カバー３５を、取付ベース部材２６に対し一方向へ回してカバー部４１の雌ねじ４１ａを取付ベース部材２６の雄ねじ３２ａに螺合し、これにより、支持カバー３５を取付ベース部材２６に重ねて着脱自在に冠着する。
【００１９】
上記した非表示型打掛錠の使用時は、扉Ｄを閉止したとき、そのまま内側から回動レバー２９を回動し、図１に示すように、先端の係合凹部３８をレバー受け３０の係止部３０ａに掛けて扉Ｄを内側から施錠する。このとき、回動レバー２９は、先端部が弾性体４０を介してレバー受け３０の係止部３０ａに当接して緩衝し、衝突音の発生を抑止する。一方、扉Ｄを開けるときは、逆向きに回動レバー２９を回動し、係合凹部３８をレバー受け３０の係止部３０ａから外して解錠する。なお、図示例では、扉Ｄのヒンジ部は周知のグレビティヒンジ構造とし、回動レバー２９のレバー受け３０に対する掛け止めを外して解錠すると、自動的に扉Ｄが開方向へ回動し、所定開き角度の開状態に保持され、これにより、外側から一見して扉Ｄの施解錠状態が判るようにしている。
【００２０】
ところで、図示例の非常解錠用操作鍵Ｋは、細長い硬質な樹脂製又は金属製板材等を用いて成形し、先端部５５ａと基端部５５ｂ間の中間部位を、扉Ｄと扉枠板Ｐの木口１０・１１の端面形状に合わせて略Ｓ字に曲げて、そこに屈曲部５５ｃを形成してなる。基端部５５ｂには、ゴム又は樹脂製キャップを被せて摘み部５６を形成してなる。
【００２１】
さて、以上の如く構成した非表示型打掛錠の非常解錠構造において、打掛錠Ｌが施錠状態の扉Ｄの内側で使用者が倒れたり、悪戯で回動レバー２９をレバー受け３０に掛けて施錠状態にして扉Ｄを閉められたりする非常時に、扉Ｄの外側（図１中奥側）から、非表示型打掛錠Ｌを非常解錠操作して扉Ｄを開けるときは、非常解錠用操作鍵Ｋを用い、その摘み部５６を持って先端部５５ａを、目隠し用隙間ｄの下方において、扉Ｄの下部開口Ｓに差し通して屈曲部５５ｃを目隠し用隙間ｄに係合させ、そのまま図中上方へ持ち上げる。そして、屈曲部５５ｃで回動レバー２９を、図６に示すように押し上げて回動させることにより、係合凹部３８をレバー受け３０の係止部３０ａから外し、図７に示すように打掛錠Ｌを解錠する。
【００２２】
ところで、上記扉パネル構造体Ａにおいて、扉Ｄおよび扉枠体Ｐは、互いの木口１０・１１を同じ略Ｓ字形曲面状の端面形状にして形成し、木口１０・１１間に断面略Ｓ字状の空隙をあけて目隠し用隙間ｄを形成した構造であった。しかし、本発明の非常解錠構造において、目隠し用隙間ｄは、その空隙が上記した断面略Ｓ字形に限らず、扉Ｄと扉枠体Ｐの木口１０・１１間に、少なくも外側から内側へ見通せない断面形状の幅狭な空隙ができる形状であればよく、例えば断面円弧状や波形状等になるように円い曲面形状に形成することもでき、また、鋸歯形状やＶ字形状等になるように直線的に屈曲した形状に形成することもできる。更には、目隠し用隙間ｄは、その空隙が断面が屈曲形状の場合に限らず、例えば扉と扉枠体の互いの木口を同じ傾斜面の端面形状に形成し、空隙の断面形状が外側から内側へ見通せない向きに直線的に傾斜した形状になるように形成することもできる。
【００２３】
なお、目隠し用隙間ｄを、その空隙が、上記にように断面円弧状になるように形成する場合は、たとえば図８に示すように、扉Ｄと扉枠板Ｐの木口１０・１１の端部に、互いに対向する端面が円弧面をなす化粧用パネルエッジ６０・６１を嵌め付けて形成することができる。
【図面の簡単な説明】
【００２４】
【図１】本発明の一例である非表示型打掛錠の非常解錠構造を備えた扉パネル構造体を示す斜視図である。
【図２】扉と扉枠板の木口部分の構造を示す横断面図である。
【図３】非表示型打掛錠を取付状態において示す横断面図である。
【図４】取付状態の非表示型打掛錠を先端側から見て示す端面図である。
【図５】非表示型打掛錠の分解斜視図である。
【図６】扉パネル構造体において、非常解錠用操作鍵を用いて非表示型打掛錠の回動レバーを押し上げてレバー受けから外す途中段階を説明する斜視図である。
【図７】扉パネル構造体において、非常解錠用操作鍵で非表示型打掛錠の回動レバーをレバー受けから外した段階を説明する斜視図である。
【図８】扉と扉枠板の木口部分の構造の他例を示す横断面図である。
【図９】従来の表示型打掛錠を付設した扉パネル構造体を示す斜視図である。
【符号の説明】
【００２５】
Ａ            扉パネル構造体
Ｄ            扉
Ｆ            床面
Ｋ            非常解錠用操作鍵
Ｌ            非表示型打掛錠
Ｐ            扉枠板
Ｓ            扉の下部開口
ｄ            目隠し用隙間
１０・１１    木口
２５          錠本体
２７          レバー組立体
２９          回動レバー
３０          レバー受け
５５ｃ        非常解錠用操作鍵の屈曲部
【図１】
0004410777.tif 000002
【図２】
0004410777.tif 000003
【図３】
0004410777.tif 000004
【図４】
0004410777.tif 000005
【図５】
0004410777.tif 000006
【図６】
0004410777.tif 000007
【図７】
0004410777.tif 000008
【図８】
0004410777.tif 000009
【図９】
0004410777.tif 000010